(57)【特許請求の範囲】
【請求項１】
肉厚部を貫く任意個数の膨出部形成用のスリット部を設け、当該肉厚部の外周にネジ部のない略円筒状の本体と、
前記本体のスリット部を境として前記本体の外周より外方に膨出させた前記スリット部の形状で画される膨出部を形成する拡開ねじ体とから成るインプラント体において、
前記本体の前記膨出部形成用のスリット部のうち、本体上部にはスリット部に囲まれる領域を本体の外周面から円周方向に沿って膨出させた膨出部と、本体中央部には、スリット部に囲まれる領域を外周面から外方に膨出させ、本体の上方に向けて開口する膨出部と、本体下部には、スリット部に囲まれる領域を本体の外周面から外方に膨出させ、本体の下方に向けて開口する膨出部とを設けるとともに前記本体の内側には一方の端部より他方の端部に偏心したテーパ部を備える複数の孔を開口し、かつこの本体の中心には前記各孔のテーパ部を損なうことのないサイズの孔を貫通するように開口して設けることにより構成し、前記拡開ねじ体を前記本体の内側に挿入しつつ回転することにより前記拡開ねじ体の各凸部を、前記本体の各孔のテーパ部に沿って回転し、拡開ねじ体の各凸部の段部を、前記本体の各テーパ部の角部に係合して、前記拡開ねじ体を前記本体内の定位置に固定しつつ前記本体の各膨出部を形成することにより構成したことを特徴とするインプラント体。
【請求項２】
前記各膨出部は、前記各スリット部を境として本体の外周面より外方に膨出させた、前記各スリット部により画されるコの字形状又はコの字形状に近似した形状の膨出部により構成したことを特徴とする請求項１記載のインプラント体。
【請求項３】
略円筒状に形成され、肉厚部を貫く任意個数の膨出部形成用のスリット部を設け、スリット部により囲まれる領域の内周側に受凸部を設けた本体の内部に、拡開ねじ体を挿入して回転し、前記受凸部を拡開ねじ体に設けた膨出凸部により外方に膨出させてスリット部により囲まれる領域を膨出部とすることにより構成したことを特徴とするインプラント体。
【請求項４】
略円筒状に形成され、かつ外周にネジ部のない肉厚部を設け、この肉厚部を貫く膨出部形成用のスリット部を設け、さらにこのスリット部の下側に、雌ねじを有するとともに外側に突出する押上凸部を備えた押上体が挿通可能な空隙部を設けた本体に対して、この本体の上部から前記空隙部に挿通された押上体の雌ねじに螺合する雄ねじ体を挿入し、雄ねじ体を回転させて前記押上体を上昇させ、押上体の押上凸部を介して前記スリット部により囲まれる領域を外方に膨出させて任意数の膨出部とすることにより構成したことを特徴とするインプラント体。
【請求項５】
略円筒状に形成され、かつ外周にネジ部のない肉厚部を設け、この肉厚部を貫く膨出部形成用のスリット部を設け、さらにこのスリット部の下側に、雌ねじを有するとともに外側に突出する押上凸部を備えた押上体が挿通可能な空隙部を設けた本体に対して、この本体の上部から前記空隙部に挿通された押上体の雌ねじに螺合するねじ部及び頭部を有する雄ねじ体を挿入し、雄ねじ体を回転させて前記押上体を上昇させ、押上体の押上凸部を介して前記スリット部により囲まれる領域を外方に膨出させて任意数の膨出部とし、かつ前記雄ねじ体の頭部領域と本体の対応部分とを密封加工することを特徴とするインプラント体の形成方法。
【発明の詳細な説明】
【０００１】
【発明の属する技術分野】
本発明は、歯科技工の分野で用いられるインプラント体とインプラント体の形成方法に関する。
【０００２】
【従来の技術】
従来、インプラント体を歯槽骨に植立し固定する歯科技工の分野においては、インプラント体を歯槽骨に植立した後、再びその部分の歯肉を縫合して約数年間待ち、歯槽骨が成長することによりインプラント体と歯槽骨を強固に固着させるようにしている。
【０００３】
図１７に従来の拡張形のインプラント体５０を示す。このインプラント体５０は、下部にスリット５５を有する本体５１の内周部に、ねじ体５３の回転力を利用して拡開体５２を上昇させ、本体５１の下部に左右に開く拡開部５１ａを形成したものである。
【０００４】
【発明が解決しようとする課題】
しかしながら、図１７に示した従来技術の場合、拡開部５１ａの下部には空洞が生じて、上部からの力に対して大きな抵抗力を示さない。また、周辺の骨成分がこの空洞を埋めるようになるため拡開部５１ａの先端部分の骨密度は極めて薄くなってしまう。また拡開部５１ａの拡開によって生じた骨密度の濃くなった部分もインプラント体５０の保持力に寄与していないと言える。
【０００５】
また、従来技術の場合、一般的に言って一旦インプラント体を歯槽骨に植立しこの後、再びインプラント体の植立部の歯肉を切開し、インプラント体の上部を露出させ、その後の作業を続ける必要があった。患者は半年間は充分な咀嚼機能が回復せず、不便な生活を強いられるばかりでなく、半年後に再びインプラント体の植立部を切開するという肉体的苦痛を伴うことになる。
【０００６】
すなわち、従来のインプラント体は、抜歯直後の抜歯溝へ植立するのは不可能であった。抜歯溝の形状には個人差があり、円筒形をしたインプラント体を抜歯溝へ植立しても歯槽骨との密着部分が少なく固定することは不可能であった。従って、抜歯してから数年待ち抜歯溝が完全になくなるまで待たなければならないこととなるが、抜歯溝の後は歯槽骨が薄くなることが知られている。このためインプラント体の植立自体が難しくなるケースが頻繁に生じていた。
【０００７】
尚、従来においては、インプラント体の一部分を歯槽骨に埋没した直後に機械的に拡張する技術も提案されているが、この場合、インプラン体の下部のみを拡張するため歯槽骨との充分な固着力は得られないという課題があった。
【０００８】
また、この従来技術の場合、インプラント体の一部分の拡張時に歯槽骨に空洞を作ってしまうため、歯槽骨が薄くなる危険性も指摘されていた。
【０００９】
本発明は、上記事情に鑑みてなされたものであり、抜歯溝等との間の保持力を増し、即日に使用可能な人工歯牙を形成することを可能としたインプラント体とインプラント体の形成方法を提供することを目的とする。
【００１０】
【課題を解決するための手段】
本発明の請求項１のインプラント体は、肉厚部を貫く任意個数の膨出部形成用のスリット部を設け、当該肉厚部の外周にネジ部のない略円筒状の本体と、前記本体のスリット部を境として前記本体の外周より外方に膨出させた前記スリット部の形状で画される膨出部を形成する拡開ねじ体とから成るインプラント体において、前記本体の前記膨出部形成用のスリット部のうち、本体上部にはスリット部に囲まれる領域を本体の外周面から円周方向に沿って膨出させた膨出部と、本体中央部には、スリット部に囲まれる領域を外周面から外方に膨出させ、本体の上方に向けて開口する膨出部と、本体下部には、スリット部に囲まれる領域を本体の外周面から外方に膨出させ、本体の下方に向けて開口する膨出部とを設けるとともに前記本体の内側には一方の端部より他方の端部に偏心したテーパ部を備える複数の孔を開口し、かつこの本体の中心には前記各孔のテーパ部を損なうことのないサイズの孔を貫通するように開口して設けることにより構成し、前記拡開ねじ体を前記本体の内側に挿入しつつ回転することにより前記拡開ねじ体の各凸部を、前記本体の各孔のテーパ部に沿って回転し、拡開ねじ体の各凸部の段部を、前記本体の各テーパ部の角部に係合して、前記拡開ねじ体を前記本体内の定位置に固定しつつ前記本体の各膨出部を形成することにより構成したことを特徴とするものである。
【００１１】
本発明の請求項１のインプラント体によれば、本体の上部、中央部及び下部に膨出部を膨出するため、このインプラント体を抜歯溝に植立した場合、あらゆる方向からの力に対して強力な保持力を発揮できる。従って、従来のインプラント体に比較して植立直後から強力な保持力を発揮し即日の上部構造の構築が可能であり即咀嚼機能が回復する。また抜歯溝を利用しての植立が可能になり、抜歯溝が起因となり歯槽骨が薄くなることを防止することもできる。
【００１２】
また、本発明の請求項２のインプラント体は、請求項１記載のインプラント体において前記各膨出部は、前記各スリット部を境として本体の外周面より外方に膨出させた、前記各スリット部により画されるコの字形状又はコの字形状に近似した形状の膨出部により構成したことを特徴とするものである。
【００１４】
この発明によれば、インプラント体の一部をコの字形状又はコの字形状に近似した形状の膨出部を利用して、前記本体の中央部及び下部においては、その長さ方向に沿って上向き及び下向きに膨出させるとともに、前記本体の上部においては、その円周方向に沿って膨出させるため、インプラント体に加わるあらゆる方向からの力に対して強力な保持力を発揮できる。従って、従来のインプラント体に比較して植立直後から強力な保持力を発揮し即日の上部構造の構築が可能であり即咀嚼機能が回復する。また抜歯溝を利用しての植立が可能になり、抜歯溝が起因となり歯槽骨が薄くなることを防止することもできる。
【００１７】
また、本発明の請求項３記載の発明のインプラント体は、略円筒状に形成され、肉厚部を貫く膨出部形成用のスリット部を設け、スリット部により囲まれる領域の内周側に受凸部を設けた本体の内部に、拡開ねじ体を挿入して回転し、前記受凸部を拡開ねじ体に設けた膨出凸部により外方に膨出させてスリット部により囲まれる領域を膨出部とすることを特徴とするものである。
【００１８】
この請求項３の発明によれば、拡開ねじ体の回転操作という簡略な工程に基づいて、前記本体の受凸部が拡開ねじ体に設けた膨出凸部により外方に膨出することになり、これにより、スリット部により囲まれる領域を膨出部とすることができる。
【００１９】
また、本発明の請求項４記載の発明のインプラント体は、略円筒状に形成され、かつ外周にネジ部のない肉厚部を設け、この肉厚部を貫く膨出部形成用のスリット部を設け、さらにこのスリット部の下側に、雌ねじを有するとともに外側に突出する押上凸部を備えた押上体が挿通可能な空隙部を設けた本体に対して、この本体の上部から前記空隙部に挿通された押上体の雌ねじに螺合する雄ねじ体を挿入し、雄ねじ体を回転させて前記押上体を上昇させ、押上体の押上凸部を介して前記スリット部により囲まれる領域を外方に膨出させて任意数の膨出部とすることを特徴とするものである。
【００２０】
この発明によれば、既述した請求項１記載の発明のような作用を発揮するインプラント体を、雄ねじ体の回転による押上体の上昇動作という簡略な工程で形成できる。
【００２１】
本発明の請求項５記載の発明のインプラント体の形成方法は、略円筒状に形成され、かつ外周にネジ部のない肉厚部を設け、この肉厚部を貫く膨出部形成用のスリット部を設け、さらにこのスリット部の下側に、雌ねじを有するとともに外側に突出する押上凸部を備えた押上体が挿通可能な空隙部を設けた本体に対して、この本体の上部から前記空隙部に挿通された押上体の雌ねじに螺合するねじ部及び頭部を有する雄ねじ体を挿入し、雄ねじ体を回転させて前記押上体を上昇させ、押上体の押上凸部を介して前記スリット部により囲まれる領域を外方に膨出させて任意数の膨出部とし、前記雄ねじ体の頭部領域と本体の対応部分とを密封加工することを特徴とするものである。
【００２２】
この発明によれば、請求項４記載の発明の場合と同様、請求項１記載の発明のような作用を発揮するインプラント体を、雄ねじ体の回転による押上体の上昇動作という簡略な工程で形成できるとともに、前記雄ねじ体の頭部領域と本体の対応部分とを密封加工するものであるから、前記雄ねじ体の頭部領域と本体との間の隙間からの細菌等の侵入を防止することができる。
【００２５】
【発明の実施の形態】
以下に、本発明の実施の形態を詳細に説明する。
【００２６】
図１乃至図５は、本発明の実施の形態１のインプラント体１及びその形成方法を示すものである。図１に示すインプラント体１は、チタン又はステンレスにアパタイト等をコーティングして生体への親和性の良い材料を用いて略円筒状に形成し、かつ外周にはネジ部のない肉厚部を有する本体２を具備している。この本体２は、略円筒状とする他、臼歯部の抜歯溝での使用状態を考慮すると四角筒状とすることも可能である。
【００２７】
本体２には、少なくとも一部がこの本体２の肉厚部と分離しない図２に示すようなコの字形状のスリット部３を、例えば本体上部に２箇所、本体中央部及び下部に各々２箇所、合計６箇所設けている。本体２の上部の２箇所のスリット部３は、図２の上側に示すように本体２の円周方向に長辺が沿い、本体２の長さ方向に短辺が沿う形状としている。また、本体中央部及び下部に各々２箇所ずつ設けたスリット部３は、図２の下側に示すように本体２の長さ方向に長辺が沿い、本体２の円周方向に短辺が沿う形状としている。尚、スリット部３の部分は外周側から切り込みを入れ、スリット部３を外側へ膨出させ易くするようにすることもできる。また、歯槽骨との密着性を高めるためと、上方からかかる咀嚼による力を分散させるために、本体２の外周に雄ねじ部を設けてもよい。
【００２８】
そして、本体２の上部の２箇所のスリット部３に囲まれる領域を各々本体２の外周面から外方に膨出させて、２個の膨出部４ａ、４ｂとしている。また、本体中央部の２箇所のスリット部３に囲まれる領域を各々本体２の外周面から外方に膨出させて、本体２の上方に向けて開口した２個の膨出部５ａ、５ｂとしている。さらに、本体下部の２箇所のスリット部３に囲まれる領域を各々本体２の外周面から外方に膨出させて、本体２の下方に向けて開口した２個の膨出部６ａ、６ｂとしている。
【００２９】
これら各膨出部４ａ、４ｂ、５ａ、５ｂ、６ａ、６ｂの形状は、コの字形状の他、これと近似した山形状、略半円状、台形状等とすることができる。
【００３０】
前記本体２の内側は、図３に示すように長さ方向或いは円周方向に沿ってテーパー状に加工されている。
【００３１】
このテーパー状の加工について以下に説明する。外形加工をしたインプラント体１の本体２の一方の端部から図３に示すように偏心した孔７ａ、７ｂ、７ｃを他方の端部を貫通する若干手前まで開ける。さらに、孔７ａ、７ｂ、７ｃにより形成される本体２の内周におけるテーパ部８を損なわないようなサイズの孔９を本体２の中心に沿って貫通するように開ける。さらに、３箇所の孔７ａ、７ｂ、７ｃにより形成される本体２の内周におけるテーパ部８を含むような孔（図示せず）をインプラント体１の本体２の上部に開ける。以上の孔加工はドリルでの加工以外にも放電加工等によって行うことも可能である。次に、一番大きな孔の途中まで雌ねじを切る。
【００３２】
次に、前記膨出部４ａ、４ｂ、５ａ、５ｂ、６ａ、６ｂを拡開させる拡開ねじ体１０について図４を参照して説明する。この拡開ねじ体１０の下端はインプラント体１の本体２の下端の孔に嵌合し、拡開ねじ体１０に設けた任意数の凸部１１ｂはインプラント体１の本体２内のテーパー部分に沿って回転し、図５に示すようにテーパー部分を外側へ押し開き、膨出部４ａ、４ｂ、５ａ、５ｂ、６ａ、６ｂを形成する。上端部は本体２の上部の孔に嵌合する。拡開ねじ体１０の上端部に設けた溝１１ａは、手動による回転力を与えるものである。
【００３３】
前記凸部１１ｂの外側面に設けた段部１１ｃは、前記本体２内のテーパー部分の角部１２に係合し、拡開ねじ体１０を定位置に固定する。このようにして、図１に示すような本体２を製造することができる。
【００３４】
膨出部４ａ、４ｂをインプラント体１の上部に設ければ歯槽骨の緻密な部分へ拡開することができ強力な保持力を発揮する。また、膨出部４ａ、４ｂの向きは歯槽骨の薄い患部に対応する短いインプラント体１に使用する事もできる。さらに、臼歯部の抜歯溝のように先端が二つないしは三つに分岐しているような場合、従来の拡張形のインプラント体では対応が不可能であったが、このタイプの短いインプラント体１により臼歯部への適応が可能になる。
【００３５】
前記膨出部６ａ、６ｂのようにインプラント体１の下方向きに設けた場合には、咀嚼時に上方からインプラント体１にかかる力に対して大きな保持力を有することになる。即ち、膨出部６ａ、６ｂの膨出によって骨密度が増した部分が有効に作用すると言える。
【００３６】
次に、本発明の実施の形態２について図６乃至図９を参照して説明する。本実施の形態２のインプラント体１Ａは、略円筒状に形成され、かつ外周にはネジ部のない肉厚部を設け、この肉厚部を貫くコの字形状の任意数のスリット部２２を設け、スリット部２２により囲まれる領域の内周側に例えば上下合計３箇所の受凸部２３を設けた本体２０の内部に、図６及び図７に示すような頭部２５ａを有するとともに外周における前記各受凸部２３に各々対応する位置に上下合計３箇所の膨出凸部２４を設けた拡開ねじ体２５を挿入し、頭部２５ａを回転し、前記受凸部２３を拡開ねじ体２５の膨出凸部２４により外方（インプラント体１Ａの長さ方向、外周方向）に膨出させてスリット部２２により囲まれる領域を任意数の膨出部２７とし、図１に示す場合と同様な形状を有する図７に示すインプラント体１Ａとするものである。前記頭部２５ａの下面と、この頭部２５ａの下面が接合する本体２０の段孔部２０ｂの上面は、密着性（シール性）を確保するために精密な表面加工が施されている。
【００３７】
図８は、前記拡開ねじ体２５に設けた膨出凸部２４による膨出部２７の膨出動作を示すものである。膨出凸部２４は拡開ねじ体２５の軸部２５ａに対して、例えば１８０度対称配置に前記軸部２５ａの直径（Ｄ）よりも大きい突出長（Ｌ）となるように全体として楕円を呈するように形成され、拡開ねじ体２５を図８に示す矢印方向に９０度回転することで、膨出凸部２４の両突出端を対応する受凸部２３に当てて外方に押し出し、スリット部２２により囲まれる領域を膨出部２７とするものである。膨出凸部２４としては、図９に示すような形状、即ち、前記軸部２５ａに対して１８０度対称配置に外方に突出させた段差付きのカム形状で、かつ、外周部にネジ状部２４ａを備えたものを用いる事もできる。この場合、膨出凸部２４により拡開される受凸部２３側にもネジ状部２３ａを設ける事で、拡開ねじ体２５を図８に示す如く矢印ａ方向に９０度回転したとき、膨出凸部２４に受凸部２３に螺合する感じで膨出部２７を形成できる。
【００３８】
尚、インプラント体１Ａに対する加工は、外形加工をしたインプラント体１Ａの一方の端部から内部を貫通する孔を開け、さらにスリット部２２により囲まれる領域の内周側に受凸部２３を設ける。また、放電加工を利用してもインプラント体１Ａの加工を実行できる。
【００３９】
さらにまた、図７に示すように、前記本体２０の一部に抜孔２０ａを設け、拡開ねじ体２５にも貫通孔２８を設けて、緩み止めピン２９を抜孔２０ａから貫通孔２８に挿入する事で、拡開ねじ体２５を定位置に固定して膨出部２７が本体２０側に没入しない構成とする事ができる。この場合、本体２０の段孔部２０ｂの下側の拡開ねじ体２５の外周にウェーブワッシャ（又は皿ばね体）３０を嵌め付け、上述した頭部２５ａの下面と、この頭部２５ａの下面が接合する本体２０の段孔部２０ｂの上面との表面加工と相俟って、拡開ねじ体２５と本体２０との間から細菌等が本体２０内に侵入することを防止している。また、前記緩み止めピン２９と抜孔２０ａとの間、緩み止めピン２９と貫通孔２８との間にも各々円筒状のシール部材を介在するようにすれば本体２０内への細菌等の侵入をより完璧に防止できる。
【００４０】
次に、図１０乃至図１４を参照して本発明の実施の形態３のインプラント体１Ｂについて説明する。このインプラント体１Ｂは、略円筒状に形成されるとともに外周にネジ部のない肉厚部を設けた本体２０を具備し、肉厚部を貫くコの字状の任意数のスリット部３２（図１０において上部側は図１２に示すように本体２０の円周方向、下部側は本体２０の長さ方向）を設ける。また、スリット部３２の下側に、図１４にも示すように雌ねじ３３ｂを有する円筒状で、その外周から１８０度対称配置に最突出端から内方に至る上昇勾配の押上凸部３３ａを設けた押上体３３が挿通可能な空隙部３４（この空隙部３４はスリット部３２の一辺を大きく切り欠くことで形成される）を設けている。
【００４１】
前記膨出部３６Ａ、３６Ｂを形成するには、前記、本体２０に対して、この本体２０の上部から前記空隙部３４に挿通された押上体３３の雌ねじ３３に螺合する雄ねじ体３５を挿入する。そして、雄ねじ体３５を回転させて前記押上体３３を上昇させ、押上体３３の押上凸部３３ａの上昇力を前記スリット部３２により囲まれる領域の内周側に作用させて外方に膨出させ、これにより、上部側は図１１に示すように本体２０の円周方向に膨出する任意数の膨出部３６Ａとし、下部側は本体２０の長さ方向の斜め下方に膨出する膨出部３６Ｂとし、これによりインプラント体１Ｂを形成するものである。この場合、前記雄ねじ体３５の頭部３５ａの外周の下面３５ｂと、本体２０の孔段部２０ｂの上面とは、密着性（シール性）を確保するために精密な表面加工が施され、雄ねじ体３５の頭部３５ａの外周から本体２０内への細菌等の侵入を防止している。
【００４２】
図１３は、本体２０の円周方向に膨出して形成される前記膨出部３６Ａの形状を示すものであり、この膨出部３６Ａは、上部が薄く下部が厚く形成されるとともに、その内周側において最下端から斜め上方に向かって最も側方に突出した稜線３７を有し、前記押上体３３の押上凸部３３ａが上昇するとき、押上凸部３３ａの傾斜面が常に稜線３７に沿って接触するようにして、膨出部３６Ａを円周方向に膨出させるものである。
【００４３】
図１５、図１６は、前記インプラント体１の使用例を概略的に示すものであり、図１に示すように、上向きの膨出部５ａ、５ｂと、下向きの膨出部６ａ、６ｂとを有するインプラント体１を使用し、これらを隣接して膨出部５ａ、５ｂ、膨出部６ａ、６ｂの位置を調整しつつ抜歯溝４０に植立することにより、これらが互いに干渉することなく抜歯溝４０に高密度で植立することが可能となる。
【００４４】
また、インプラント体１の任意の箇所から図１に示すような膨出部４ａ、４ｂ、５ａ、５ｂを膨出させることで、図１６に示すように不定型な抜歯溝４０にもこのインプラント体１を埋め込むことができる。
【００４５】
以上説明した本実施の形態によれば、抜歯溝へのインプラント体１の植立が可能となり、以下の説明のようにインプラント体１の適応症例を飛躍的に拡大させる。即ち、通常咀嚼により歯牙からの力により歯槽骨がわずかに歪み、微少な電位が歯槽骨に生じる。この電位に血液中のカルシウムイオンが引き寄せられ、歯糟骨ヘのカルシウム成分の補給を行っている。
【００４６】
従来のインプラント体では抜歯溝が完全に塞がるのを待つ必要があったが、この間には抜歯部の歯槽骨には充分なカルシウム成分は供給されない。また、抜歯溝を周辺の骨成分が埋めようとするので歯槽骨が薄く脆弱になり、インプラント体が植立できないケースが上顎で約８０％、下顎で３０％あるのがインプラント体を処置する際の最大のネックであった。
【００４７】
本実施の形態では、抜歯溝ヘインプラント体１（インプラント体１Ａ、１Ｂも同様、以下同じ）を植立してもインプラント体１の上下各部に膨出部４ａ、５ａ、６ａ等を設けることができのるで、埋め込みの為の抜歯部等の穴が完全な円で無くても良く、抜歯直後に前記インプラント体１を歯槽骨へ植立することが可能となる。
【００４８】
従って、インプラント体１の不適合な症例は極めて限られたケースとなる。抜歯溝は不定形であり、従って従来の非拡張形インプラント体を埋め込むのは不可能である。また、従来の拡張形インプラント体もこのインプラント体の下部のみしか拡張しないため不可能であった。本本実施の形態によれば、インプラント体１の各所を膨出できるので、不定型な抜歯溝にもインプラント体１を埋め込むことができる。
【００４９】
現在、インプラント体１を扱う術者はごく限られた人数しかいない。その主な原因は、歯槽骨に穴を開けるという高度な技術を要求されるためである。穴の深さ、方向に細心の注意を払わなければ、直ちに医療事故につながる事態が生じるが、抜歯溝がそのままインプラント体１の埋め込みのための穴として利用できるのであれば遥かに容易に、そして安全にインプラント体１の植立を行うことが可能となる。
【００５０】
さらに、本実施の形態のインプラント体１によれば、抜歯溝の複数箇所に膨出部を当てて支持できるので、インプラント体１に作用する曲げモーメントに対しても従来例の場合よりも強くなるという利点がある。
【００５１】
【発明の効果】
本発明によれば、従来のインプラント体に比較して植立直後から強力な保持力を発揮し、即日の上部構造の構築が可能であり、歯槽骨が薄くなることを防止することもできるインプラント体を提供することができる。
【００５３】
また、本発明によれば、上記効果を奏するインプラント体を簡略な工程で形成できるとともに、本体内への細菌等の侵入を防止することも可能なインプラント体の形成方法を提供することができる。
【図面の簡単な説明】
【図１】本発明の実施の形態１のインプラント体を示す正面図である。
【図２】本発明の実施の形態１のインプラント体におけるスリット部の方向を示す説明図である。
【図３】本発明の実施の形態１のインプラント体の加工状態を示す図である。
【図４】本発明の実施の形態１のインプラント体の拡開ねじ体を示す斜視図である。
【図５】本発明の実施の形態１のインプラント体の製造工程を示す図である。
【図６】本発明の実施の形態２のインプラント体の本体を示す断面図である。
【図７】本発明の実施の形態２のインプラント体を示す断面図である。
【図８】本実施の形態２のインプラント体の膨出凸部の動作を示す説明図である。
【図９】本実施の形態２のインプラント体の膨出凸部の他例を示す説明図である。
【図１０】本発明の実施の形態３のインプラント体を示す断面図である。
【図１１】本発明の実施の形態３のインプラント体を示す断面図である。
【図１２】本実施の形態３のインプラント体の膨出部を示す部分斜視図である。
【図１３】本実施の形態３のインプラント体の膨出部の拡大図である。
【図１４】本実施の形態３のインプラント体の押上体を示す斜視図である。
【図１５】本発明の実施の形態１のインプラント体の使用例を示す概略図である。
【図１６】本発明の実施の形態１のインプラント体の他の使用例を示す概略図である。
【図１７】従来のインプラント体の一例を示す正面図である。
【符号の説明】
１  インプラント体
１Ａ  インプラント体
１Ｂ  インプラント体
２  本体
３  スリット部
４ａ  膨出部
４ｂ  膨出部
５ａ  膨出部
５ｂ  膨出部
６ａ  膨出部
６ｂ  膨出部
８  テーパ部
１０  拡開ねじ体
１１ｂ  凸部
２０  本体
２２  スリット部
２３  受凸部
２５  拡開ねじ体
２７  膨出部
【図１】
0004179652.tif 000002
【図２】
0004179652.tif 000003
【図３】
0004179652.tif 000004
【図４】
0004179652.tif 000005
【図５】
0004179652.tif 000006
【図６】
0004179652.tif 000007
【図７】
0004179652.tif 000008
【図８】
0004179652.tif 000009
【図９】
0004179652.tif 000010
【図１０】
0004179652.tif 000011
【図１１】
0004179652.tif 000012
【図１２】
0004179652.tif 000013
【図１３】
0004179652.tif 000014
【図１４】
0004179652.tif 000015
【図１５】
0004179652.tif 000016
【図１６】
0004179652.tif 000017
【図１７】
0004179652.tif 000018